【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
光軸に対し垂直方向の成分を持つように移動して像位置を変える防振レンズ群を含むレンズ群Ｂと、該レンズ群Ｂの物体側に隣接して配置された正の屈折力のレンズ群Ａを有し、ズーミングに際して、該レンズ群Ａとレンズ群Ｂの間隔が変化するズームレンズであって、該レンズ群Ａは少なくとも３つの正レンズ成分で構成され、少なくとも１つの非球面形状のレンズ面を含むことを特徴とするズームレンズ。
【請求項２】
広角端に比べ望遠端で前記レンズ群Ａと前記レンズ群Ｂの間隔が大きくなることを特徴とする請求項１のズームレンズ。
【請求項３】
前記防振レンズ群と前記レンズ群Ｂは共に負の屈折力であり、該レンズ群Ｂの像側には、正の屈折力のレンズ群Ｃが配置されており、広角端に比べ望遠端での該レンズ群Ｂと該レンズ群Ｃとの間隔は小さくなり、望遠端における該防振レンズ群の横倍率をβｉｓｔ、望遠端における該防振レンズ群より像側に位置する光学系の横倍率をβｒｔとするとき
１．０  ＜  ｜（１−βｉｓｔ）×βｒｔ｜＜  ２．０
なる条件を満足することを特徴とする請求項１又は２のズームレンズ。
【請求項４】
望遠端における全系の焦点距離をｆｔ、前記防振レンズ群の焦点距離をｆｉｓ、前記レンズ群Ｂの焦点距離をｆｂ、該防振レンズ群の最も物体側の面の曲率半径をＲｉｓ１とするとき
０．３  ＜  ｜ｆｉｓ｜／ｆｔ  ＜  ０．７
０．１５＜  ｜ｆｂ｜／ｆｔ＜  ０．４５
０．３  ＜  ｜Ｒｉｓ１｜／ｆｔ
なる条件を満足することを特徴とする請求項１，２又は３のズームレンズ。
【請求項５】
望遠端における全系の焦点距離をｆｔ、前記レンズ群Ａの焦点距離をｆａとするとき
０．１５＜ｆａ／ｆｔ＜０．３
なる条件を満足することを特徴とする請求項１から４のいずれか１項のズームレンズ。
【請求項６】
前記レンズ群Ａの物体側には、物体側から像側へ順に、正の屈折力の第１レンズ群、負の屈折力の第２レンズ群が配置されており、前記レンズ群Ｂの像側には正の屈折力のレンズ群Ｃが配置されており、広角端に比べ望遠端での該第１レンズ群と該第２レンズ群の間隔は大きく、該第２レンズ群と該レンズ群Ａの間隔は小さく、該第１，第２レンズ群の焦点距離を各々ｆ１、ｆ２、該レンズ群Ｃの焦点距離をｆｃ、望遠端における全系の焦点距離をｆｔとするとき
０．５    ＜    ｆ１  ／ｆｔ  ＜  １．３
０．０５  ＜  ｜ｆ２｜／ｆｔ  ＜  ０．２
０．２５  ＜    ｆｃ  ／ｆｔ  ＜  ０．７
なる条件を満足することを特徴とする請求項１から５のいずれか１項のズームレンズ。
【請求項７】
物体側から像側へ順に、正の屈折力の第１レンズ群、負の屈折力の第２レンズ群、正の屈折力の第３レンズ群、負の屈折力の第４レンズ群、正の屈折力の第５レンズ群を有し、該第４レンズ群は光軸と垂直方向の成分を持つように移動させることによって像位置を変える防振レンズ群を有し、広角端に比べ望遠端で、該第１レンズ群と第２レンズ群の間隔は大きく、該第２レンズ群と第３レンズ群の間隔は小さく、該第３レンズ群と第４レンズ群の間隔は大きく、該第４レンズ群と第５レンズ群の間隔は小さいズームレンズにおいて、該第３レンズ群は少なくとも３つの正レンズ成分と、少なくとも１つの非球面形状のレンズ面を有し、望遠端における該防振レンズ群の横倍率をβｉｓｔ、望遠端における該防振レンズ群より像側に位置する光学系の横倍率をβｒｔとするとき
１．０  ＜  ｜（１−βｉｓｔ）×βｒｔ｜  ＜  ２．０
なる条件を満足することを特徴とするズームレンズ。
【請求項８】
前記第４レンズ群は、光軸と垂直方向の成分を持つように移動して像位置を変える防振レンズ群と、ズーミングに際して該防振レンズ群との間隔を変えるサブレンズ群とを有することを特徴とする請求項７のズームレンズ。
【請求項９】
望遠端における前記第４レンズ群の焦点距離をｆ４ｔ、前記防振レンズ群の焦点距離をｆｉｓ、望遠端における全系の焦点距離をｆｔ、該防振レンズ群の最も物体側の面の曲率半径をＲｉｓ１とするとき
０．３      ＜  ｜ｆｉｓ｜／ｆｔ  ＜  ０．７
０．１５  ＜  ｜ｆ４ｔ｜／ｆｔ    ＜  ０．４５
０．３      ＜    ｜  Ｒｉｓ１｜／ｆｔ  
なる条件を満足することを特徴とする請求項８のズームレンズ。
【請求項１０】
前記第３レンズ群の焦点距離をｆ３、望遠端における全系の焦点距離をｆｔとするとき
０．１５  ＜  ｆ３  ／ｆｔ      ＜  ０．３
なる条件を満足することを特徴とする請求項７，８又は９のズームレンズ。
【請求項１１】
前記第１、第２、第５レンズ群の焦点距離を順にｆ１、ｆ２、ｆ５、望遠端における全系の焦点距離をｆｔとするとき
０．５        ＜    ｆ１  ／ｆｔ  ＜  １．３
０．０５      ＜  ｜ｆ２｜／ｆｔ  ＜  ０．２
０．２５      ＜    ｆ５  ／ｆｔ  ＜  ０．７
なる条件を満足することを特徴とする請求項７〜１０のいずれか１項のズームレンズ。
【請求項１２】
固体撮像素子に像を形成することを特徴とする請求項１から１１のいずれか１項のズームレンズ。
【請求項１３】
請求項１から１２のいずれか１項のズーミングと、該ズームレンズによって形成された像を受光する固体撮像素子を有していることを特徴とする撮像装置。
【手続補正２】
【補正対象書類名】明細書
【補正対象項目名】００６２
【補正方法】変更
【補正の内容】
【００６２】
望遠端における防振レンズ群ＩＳの横倍率をβｉｓｔ、望遠端における防振レンズ群ＩＳより像側に位置する光学系の横倍率βｒｔ、望遠端における全系の焦点距離をｆｔ、防振レンズ群ＩＳの焦点距離をｆｉｓ、レンズ群Ａ，Ｂ，Ｃ（第３，第４，第５レンズ群）の焦点距離を順にｆａ（ｆ３）、ｆｂ（ｆ４）、ｆｃ（ｆ５）、防振レンズ群ＩＳの最も物体側の面の曲率半径をＲｉｓ１、第１，第２レンズ群の焦点距離を各々ｆ１、ｆ２、レンズ群Ｂが光軸と垂直方向の成分を持つように移動して像位置を変える防振レンズ群ＩＳと、ズーミングに際して防振レンズ群ＩＳとの間隔を変えるサブレンズ群ＢＳとを有するときの、望遠端におけるレンズ群Ｂの焦点距離をｆ４ｔとするとき、
１．０  ＜  ｜（１−βｉｓｔ）×βｒｔ｜＜  ２．０  ・・・・・（１）
０．３  ＜  ｜ｆｉｓ｜／ｆｔ  ＜  ０．７            ・・・・・（２）
０．１５＜  ｜ｆｂ｜／ｆｔ＜０．４５                ・・・・・（３）
０．３  ＜  ｜Ｒｉｓ１｜／ｆｔ                      ・・・・・（４）
０．１５＜ｆａ／ｆｔ＜０．３                        ・・・・・（５）
０．５    ＜    ｆ１  ／ｆｔ  ＜  １．３            ・・・・・（６）
０．０５  ＜  ｜ｆ２｜／ｆｔ  ＜  ０．２            ・・・・・（７）
０．２５  ＜    ｆｃ  ／ｆｔ  ＜  ０．７            ・・・・・（８）
０．１５  ＜  ｜ｆ４ｔ｜／ｆｔ  ＜  ０．４５        ・・・・・（９）
の条件のうち１以上を満足するようにしている。
【手続補正３】
【補正対象書類名】明細書
【補正対象項目名】００７８
【補正方法】変更
【補正の内容】
【００７８】
【表１】
2006227526.tif 000001
次に、本発明のズームレンズを用いた一眼レフカメラシステムの実施形態を、図１７を用いて説明する。図１７において、１０は一眼レフカメラ本体、１１は本発明によるズームレンズを搭載した交換レンズ、１２は交換レンズ１１を通して得られる被写体像を受光するフィルムや撮像素子などの感光面、１３は交換レンズ１１からの被写体像を観察するファインダー光学系、１４は交換レンズ１１からの被写体像を感光面１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は感光面１２上に結像する。１８はサブミラー、１９は焦点検出装置である。